(57)【要約】【課題】一方及び他方の縦材の上下端をずらしても連結材に小口カバー材を取付けができるフェンスを提供する。【解決手段】本発明にかかるフェンス１は、一方の縦材１７と、他方の縦材１９と、連結材７と、小口カバー材２９とを備え、一方及び他方の縦材１７、１９は、連結材７との係合部２１ａ、２１ｂを有し、連結材７は、左右端部に各縦材１７、１９の係合部２１ａ、２１ｂに係合する被係合部２５を有すると共に被係合部２５、２５間にタッピングホール２７を有し、小口カバー材２９は、連結材７の上端部と下端部に各々ねじ３１でタッピングホール２７に止めてある。【選択図】図１
2019044365.tif 000002
【特許請求の範囲】
【請求項１】
一方の縦材と、他方の縦材と、連結材と、小口カバー材とを備え、一方及び他方の縦材は、連結材との係合部を有し、連結材は、左右端部に各縦材の係合部に係合する被係合部を有すると共に被係合部間にタッピングホールを有し、小口カバー材は、連結材の上端部と下端部に各々ねじでタッピングホールに止めてあることを特徴とするフェンス。
【発明の詳細な説明】
【技術分野】
【０００１】
本発明は、フェンスに関する。
【背景技術】
【０００２】
図１２（ａ）に示すように、従来のフェンス１０１は、一方の縦材１０３と他方の縦材１０５が同じ長さであり、図１２（ｂ）に示すように、連結材１０７の左右の被係合部１０７ａ、１０７ａを対応する一方の縦材１０３の係合部１０３ａと他方の縦材１０５の係合部１０５ａに係合した状態で、小口カバー材１０９を連結材１０７の被係合部１０７ａ、１０７ａにねじ１１１（図１２（ａ）参照）で止めていた。尚、図１２（ｂ）では、ねじ１１１は省略している。
【発明の概要】
【発明が解決しようとする課題】
【０００３】
しかし、従来のフェンスでは、連結材の被係合部を各縦材の係合部に係合した状態で、小口カバー材を連結材の被係合部にねじ止めしている為、一方及び他方の縦材と連結材の上下端を揃える必要があった。この為、例えば傾斜面にフェンスを設ける場合等に、一方及び他方の縦材の上下端がずれていると連結材に小口カバーを取付けできないという不都合があった。
【０００４】
そこで、本発明は、一方及び他方の縦材の上下端をずらしても連結材に小口カバー材を取付けができるフェンスの提供を目的とする。
【課題を解決するための手段】
【０００５】
請求項１に記載の発明は、一方の縦材と、他方の縦材と、連結材と、小口カバー材とを備え、一方及び他方の縦材は、連結材との係合部を有し、連結材は、左右端部に各縦材の係合部に係合する被係合部を有すると共に被係合部間にタッピングホールを有し、小口カバー材は、連結材の上端部と下端部に各々ねじでタッピングホールに止めてあることを特徴とするフェンスである。
【発明の効果】
【０００６】
請求項１に記載の発明によれば、一方及び他方の縦材の上下端をずらしても、連結材に小口カバー材を取付けることができる。
【図面の簡単な説明】
【０００７】
【図１】本発明の実施の形態にかかるフェンスであって、図９に示すＡ部を拡大して示すと共に縦材の上端キャップを除いて示す図である。
【図２】本発明の実施の形態にかかるフェンスであって、図９に示すＢ部の拡大図である。
【図３】本発明の実施の形態にかかるフェンスであって、図９に示すＣ部の拡大図である。
【図４】本発明の実施の形態にかかるフェンスであって、図９に示すＤ部を拡大して示すと共に縦材の上端キャップ及び小口カバー材を止めるねじを除いて示す図である。
【図５】本発明の実施の形態にかかるフェンスであって、図９に示すＥ部の拡大図である。
【図６】本発明の実施の形態にかかるフェンスであって、図９に示すＦ部の拡大図である。
【図７】本発明の実施の形態にかかるフェンスであって、図９に示すＧ部を拡大して示すと共に縦材のキャップを除いて示す図である。
【図８】本発明の実施の形態にかかるフェンスであって、図９に示すＨ部の拡大図である。
【図９】本発明の実施の形態にかかるフェンスであって、（ａ）は道路側から見た正面図であり、（ｂ）は平面図である。
【図１０】本発明の実施の形態にかかるフェンスであって、他の使用例を示す横断面図である。
【図１１】本発明の実施の形態にかかるフェンスであって、他の使用例を示す横断面図である。
【図１２】従来のフェンスであって、（ａ）は連結材を取付け前の状態を示す斜視図であり、（ｂ）は連結材を取付けた一方及び他方の連結部分を下から見た平面図である。
【発明を実施するための形態】
【０００８】
以下に、図１〜図９を参照して本発明の実施の形態を説明する。図９（ａ）に示すように、本発明の実施の形態にかかるフェンス１は、傾斜面に設置されていると共に図９（ｂ）に示すように、家側と道路側との間で角度を形成して設置されている。  
フェンス１は、パネル体３と、支柱５と、隣り合うパネル体３を連結する連結材７とを備えている。  
各パネル体３は、図２及び図３に示すように、左縦桟９ａ及び右縦桟９ｂと、上横桟１１、下横桟１３と、左右の縦桟９ａ、９ｂ間に取付けた複数の横材１５とを備えている。複数の横材１５は、上下方向に並んで配置されてパネル面を形成している。図２及び図３に示すように、左縦桟９ａと、上横桟１１及び下横桟１３の左端部とは一方の縦材（左縦材）１７内に収納されており、右縦桟９ｂと、上横桟１１及び下横桟１３の右端部とは他方の縦材（右縦材）１９内に収納されている。また、上横桟１１と下横桟１３はそれぞれ端部取付具１２を介して一方及び他方の縦材１７、１９に取付けられている。即ち、一方及び他方の縦材１７、１９は夫々、縦桟９ａ、９ｂ、上横桟１１及び下横桟１３の端部を覆うカバー材である。  
尚、本明細書において、右左は、図９（ａ）に示すように、道路側からフェンス１を見たときの一枚のパネル体３に対する左右である。  
【０００９】
図１に示すように、一方の縦材１７と他方の縦材１９とは、アルミニウム合金形材製で平面視略コ字形状を成しており、互いに隣り合う側において、家側の角部に家側の係合部２１ａが形成されており、道路側の角部には道路側の係合部２１ｂが形成されている。各係合部２１ａ、２１ｂは、上下方向の縦溝である。  
図２及び図３に示すように、一方の縦材１７と他方の縦材１９の上端には上端キャップ２３ａが、下端には下端キャップ２３ｂが装着されている。図１に示すように、各キャップ２３ａ、２３ｂは係合部２１ａ、２１ｂを覆って配置されている。  
【００１０】
連結材７は、互いに隣り合う一方の縦材１７と他方の縦材１９を連結するものであり、略板状を成し、一方及び他方の縦材１７、１９の縦方向に亘って設けて一方の縦材１７と他方の縦材１９との間の隙間を塞いでいる。  
連結材７の左右両端には、一方の縦材１７及び他方の縦材１９の係合部２１ａ、２１ａ（又は２１ｂ、２１ｂ）に係合する被係合部２５、２５が設けてある。各被係合部２５は、横断面が略円形を成しており、係合部２１ａ、２１ａ（又は２１ｂ、２１ｂ）を上下にスライド自在である。一方の縦材１７において、連結材７の被係合部２５は下端キャプ２３ｂに当接して保持されている。  
連結材７において、左右の被係合部２５、２５間には、タッピングホール２７が設けてある。タッピングホール２７は、連結材７の本体部７ａに対して、道路側又は家側のうちの一方側（図１では道路側）に２つ間隔をあけて配置されている。  
連結材７の上端部と下端部には、それぞれ左右の被係合部２５、２５間に小口カバー材２９が配置されている。連結材７の上端部の小口カバー材２９は、上から止めるねじ３１でタッピングホール２７に止めてあり、下端部の小口カバー材２９は、下から止めるねじ３１でタッピングホール２７に止めてある。  
上端部及び下端部の各小口カバー材２９は、板状であり（図２参照）且つ平面視において連結材７の本体部７ａ側を下低とした平面視略台形形状を成し、連結材７の端面において、被係合部２５を除いて連結材７のタッピングホール２７を覆っている。  
【００１１】
次に、図９（ａ）（ｂ）に示す符号Ａ〜Ｈに示す各部の、一方の縦材１７及び他方の縦材と、連結材７との関係について説明する。  
Ａ部では、一方の縦材１７と他方の縦材１９とが家側で鈍角を形成して連結材７で連結されている。図１に示すように、連結材７の左右の被係合部２５、２５は、一方及び他方の縦材１７、１９の家側に形成されている係合部２１ａ、２１ａに係合してある。  
図９（ａ）に仮想線Ｋで示すように、隣り合う上横桟１１の上端を連続する直線状になるように揃えるため、図２及び図３に示すように、各縦材１７、１９が覆う上横桟１１及び下横桟１３の端部の上下位置が異なっており、また、縦材１７、１９は、上横桟１１及び下横桟１３の端部を覆うことができる必要最小限の長さとしている。その為、図２に示すように、一方の縦材１７は他方の縦材１９よりも上端が高くなっており、図３に示すように、一方の縦材１７の下端も他方の縦材１９よりも下端が高くなっている。  
連結材７は、小口カバー材２９を、被係合部２５、２５間にあるタッピングホール２７、２７に取付けてあり、図１２に示す従来技術のように一方及び他方の縦材１７、１９に係合していないので、一方及び他方の縦材１７、１９の上端及び下端が揃っていなくても一方及び他方の縦材１７、１９に取付けることができ、図３に示すように、被係合部２５を一方の縦材１７の下端キャップ２３ｂに当接させ、一方の縦材１７の略下端から他方の縦材１９の略上端の間の位置に保持され、その隙間を塞いでいる。  
【００１２】
Ｄ部では、図４に示すように、一方の縦材１７と他方の縦材１９は略直線状に並べて配置してあり、連結材７の被係合部２５、２５は一方及び他方の縦材１７、１９において道路側の係合部２１ｂ、２１ｂに係合されている。尚、図４では、ねじ３１を省略して示している。  
Ｄ部でも、縦材１７、１９は、上横桟１１及び下横桟１３の端部を覆うことができる必要最小限の長さとしているため、図５に示すように、一方の縦材１７と他方の縦材１９の上端を略同じにしたので、図６に示すように、一方の縦材１７の下端は他方の縦材１９の下端よりも低くなっている。  
連結材７は、小口カバー材２９を、被係合部２５、２５間にあるタッピングホール２７、２７に取付けてあり、図１２に示す従来技術のように一方及び他方の縦材１７、１９に係合していないので、一方及び他方の縦材１７、１９の下端が揃っていなくても一方及び他方の縦材１７、１９に取付けることができ、被係合部２５（図４参照）を、図６に示すように、他方の縦材１９の下端キャップ２３ｂに当接させ、他方の縦材１９の略下端から一方及び他方の縦材１７、１９の略上端の間に位置し、その隙間を塞いでいる。  
【００１３】
Ｇ部では、図７に示すように、一方の縦材１７と他方の縦材１９とが道路側で鈍角を形成して連結材７で連結されている。連結材７の左右の被係合部２５、２５は、一方及び他方の縦材１７、１９の道路側に形成されている係合部２１ｂ、２１ｂに係合してある。また、図９（ａ）に示すように、Ｇ部では一方の縦材１７の上端と他方の縦材１９の上端とは略水平であるが、Ｈ部で示す下端では、図８に示すように、一方の縦材１７の下端は他方の縦材１９より上に位置した段差を形成している。したがって、一方の縦材１７は他方の縦材１９よりも短い寸法である。  
Ｇ部でも、縦材１７、１９は、上横桟１１及び下横桟１３の端部を覆うことができる必要最小限の長さとしているため、図９（ａ）に示すように、一方の縦材１７と他方の縦材１９の上端を略同じにしたので、図８に示すように、一方の縦材１７の下端は他方の縦材１９の下端よりも高くなっている。  
連結材７は、小口カバー材２９を、被係合部２５、２５間にあるタッピングホール２７、２７に取付けてあり、図１２に示す従来技術のように一方及び他方の縦材１７、１９に係合していないので、一方及び他方の縦材１７、１９の下端が揃っていなくても一方及び他方の縦材１７、１９に取付けることができ、図８に示すように、被係合部２５を一方の縦材１７の下端キャップ２３ｂに当接させ、一方の縦材１９の略下端から一方及び他方の縦材１７，１９の略上端の間に位置し、その隙間を塞いでいる。  
【００１４】
次に、フェンス１の施工について説明する。  
図９（ａ）（ｂ）に示すように、傾斜面に所定間隔で支柱５を立てる。次に、各パネル体３を支柱５に固定した後、隣り合う一方の縦材１７と他方の縦材１９を連結材７で連結するが、まず、図９（ｂ）に示すＡ部の連結について説明する。  
図３に示すように、一方の縦材１７と他方の縦材１９の各々の下端に下端キャップ２３ｂを取付けておく。  
一方、連結材７の下端に小口カバー材２９を配置してタッピングホール２７にねじ３１で止めておく。  
次に、図１に示すように、互いに隣り合う一方の縦材１７と他方の縦材１９において、家側の係合部２１ａ、２１ａに、連結材７の下端側の被係合部２５、２５を上から通して係合する。図３に示すように、連結材７の被係合部２５、２５のうち一方の縦材１７に係合している被係合部２５が一方の縦材１７の下端キャップ２３ｂに当り、連結材７はその位置で保持される。  
そして、図２に示すように、連結材７の上端を低い方の縦材（他方の縦材１９）の上端に合わせ、必要があれば切断して高さを調整する。  
その後、連結材７の上端に小口カバー材２９を配置して連結材７のタッピングホール２７にねじ３１で止める。  
最後に、一方の縦材１７と他方の縦材１９の上端にそれぞれ上端キャップ２３ａを取付ける。  
【００１５】
同様にして、図９（ｂ）に示すＤ部及びＧ部についても、一方の縦材１７と他方の縦材１９に下端キャップ２３ｂを取付けた後に、下端に小口カバー材２９を取付けた連結材７で一方の縦材１７と他方の縦材１９を連結し、連結材の長さを調整した後に、上端の小口カバー材２９及び上端キャップ２３ａを取付けるが、Ｄ部では、図４に示すように、一方の縦材１７と他方の縦材１９において、道路側の係合部２１ｂ、２１ｂに連結材７の被係合部２５、２５を係合して取付ける。図６に示すように、連結材７の左右の被係合部２５、２５のうち他方の縦材１９に係合している被係合部２５が他方の縦材１９の下端キャップ２３ｂに当接して連結材７はその位置で保持される。  
また、Ｇ部でも、図７に示すように、一方の縦材１７と他方の縦材１９において、道路側の係合部２１ｂ、２１ｂに連結材７の被係合部２５、２５を係合して取付ける。図８に示すように、連結材７の左右の被係合部２５、２５のうち、一方の縦材１７に係合している被係合部２５が一方の縦材１７の下端キャップ２３ｂに当接して連結材７が保持される。  
【００１６】
本発明の実施の形態にかかるフェンス１の作用効果について説明する。  
図１に示すように、本実施の形態にかかるフェンス１によれば、連結材７は、一方及び他方の縦材１７、１９の係合部２１ａ（又は２１ｂ）に係合する被係合部２５、２５間に小口カバー材２９を止めるタッピングホール２７を有する構成であるから、一方及び他方の縦材１７、１９の上下端をずらしても、連結材７に小口カバー材２９を取付けることができる。  
一方及び他方の縦材１７、１９は上下端をずらしても連結材７を取付けることができるから、一方及び他方の縦材１７、１９の長さを不用に長くして揃えなくて済むから、材料のコストダウンを図ることができる。  
図９（ａ）に示すように、傾斜面に設置したフェンス１において、一方及び他方の縦材１７、１９の上下端をずらすことで、フェンスの上端に連続する仮想線Ｋを直線状にできる。  
【００１７】
連結材７は、その被係合部２５が一方の縦材１７又は他方の縦材１９の下端に取付けた下端キャップ２３ｂに当ることで、上下方向の動きを規制しているから、連結材７を固定するためのねじ等の部品を不要にできる。  
図１に示すように、一方及び他方の縦材１７、１９には、家側の係合部２１ａと道路側の係合部２１ｂとを設けているので、図９（ｂ）のＡ部及び対応する図１に示すように、一方及び他方の縦材１７、１９間に出隅を形成したり、図９（ｂ）のＧ部及び対応する図７に示すように、一方及び他方の縦材１７、１９間に入隅を形成したりできる。  
【００１８】
本発明は、上述した実施の形態に限らず、本発明の要旨を逸脱しない範囲で種々変形可能である。  
例えば、隣り合うパネル体３、３の成す角度は図９（ｂ）に示すＡ部のような鈍角の出隅やＧ部に示すような鈍角の入隅を形成することに限らず、図１０に示すように鋭角θの出隅を形成しても良いし、図１１に示すように鋭角θの入隅を形成しても良く、隣り合うパネル体が形成する角度は制限されない。  
図１に示すように、連結材７の被係合部２５は、一方又は他方の縦材１７、１９の下端に取付けた下端キャップ２３ｂに当てることなく、一方又は他方の縦材１７、１９の係合部２１ａ（又は２１ｂ）にねじ等の部材を嵌めてこれに当てることで連結材７の上下方向の動きを規制しても良い。  
連結材７に設けるタッピングホール２７は、２つ設けることに限らず、１個設けても良いし、３個設けても良く、数は制限されない。また、複数のタッピングホール２７を設ける場合には、家側や道路側について同じ側に設けることに限らず、本体部７ａを挟むように家側と道路側の両方に設けても良い。  
連結材７は、長さを調整した後に上端と下端とに小口カバー材２９を取付け、その後に連結材の被係合部を一方及び他方の縦材１７、１９の係合部に係合しても良い。  
小口カバー材２９は、平面視台形形状に形成することに限らず、長方形や楕円形であっても良く形状は限定されない。  
一方の縦材１７及び他方の縦材１９は、縦桟９ａ、９ｂのカバー材に限らず、パネル体３の縦框等であっても良く、一方及び他方の縦材１７、１９の機能や用途は制限されない。  
【符号の説明】
【００１９】
１    フェンス
７    連結材
１７  一方の縦材
１９  他方の縦材
２１ａ  家側の係合部
２１ｂ  道路側の係合部
２５  被係合部
２７  タッピングホール
２９  小口カバー材
３１  ねじ
【図１】
2019044365.tif 000003
【図２】
2019044365.tif 000004
【図３】
2019044365.tif 000005
【図４】
2019044365.tif 000006
【図５】
2019044365.tif 000007
【図６】
2019044365.tif 000008
【図７】
2019044365.tif 000009
【図８】
2019044365.tif 000010
【図９】
2019044365.tif 000011
【図１０】
2019044365.tif 000012
【図１１】
2019044365.tif 000013
【図１２】
2019044365.tif 000014